(57)【要約】【課題】加湿フィルターの通気特性、気化効率を向上させるとともに、加湿フィルターの偏った劣化を防ぐことを実現させた加湿装置を提供することを目的とする。【解決手段】加湿フィルターの下部吸気口側の風下側に第１の風向板を設けることにより、送風手段によって、第１の風向板が無い部分から吸い込まれ、吸気口から吸い込まれた空気が吸気口に対向する加湿フィルター部分だけでなく、吸気口に対向していない加湿フィルター部分にも通過し易くなるため、結果として加湿フィルターのより広い範囲を使って加湿することになるので、加湿フィルターの通気特性、気化効率を向上させるとともに、加湿フィルターの偏った劣化を防ぐことができる。【選択図】図４
2013204954.tif 000002
【特許請求の範囲】
【請求項１】
吸気口と排気口とを有する略箱形状の本体ケースと、この本体ケース内に設けた送風手段と加湿手段とから構成し、前記吸気口は、前記本体ケースの側面に設け、前記加湿手段は、加湿水を貯める上面が開口したトレイと、このトレイに一定量の加湿水を供給する給水タンクと、前記トレイに供給された加湿水に下端部が浸漬した加湿フィルターとからなり、前記送風手段によって、前記吸気口から吸い込まれた空気は、前記加湿フィルターと、前記送風手段とを順次介して前記排気口へ送風され、前記加湿フィルターの風下側であると共に、少なくとも吸気口に対向する位置に第１の風向板を設けたことを特徴とする加湿装置。
【請求項２】
吸気口と排気口とを有する略箱形状の本体ケースと、この本体ケース内に設けた送風手段と加湿手段とから構成し、前記吸気口は、前記本体ケースの側面に設け、前記加湿手段は、加湿水を貯める上面が開口したトレイと、このトレイに一定量の加湿水を供給する給水タンクと、前記トレイに供給された加湿水に下端開口縁が浸漬した筒形状の加湿フィルターとからなり、前記送風手段によって、前記吸気口から吸い込まれた空気は、前記加湿フィルターの側周から内方へ入り、前記送風手段を順次介して前記排気口へ送風され、前記加湿フィルターの内方であると共に、前記吸気口に対向する位置に第１の風向板を設けたことを特徴とする加湿装置。
【請求項３】
前記吸気口とは異なる第２の吸気口を設け、前記の前記加湿フィルターの内方であると共に、前記第２の吸気口に対向する位置に第２の風向板を設けたことを特徴とする請求項２に記載の加湿装置。
【請求項４】
前記第１、または第２の風向板の下端は、トレイの壁面上端より下側に位置する構成としたことを特徴とする請求項１から３のいずれかに記載の加湿装置。
【請求項５】
前記加湿フィルターは、前記吸気口から見ると左右対称形状であり、前記第１の風向板の水平方向における両端部は、中央部より短い形状としたことを特徴とする請求項２から４のいずれかに記載の加湿装置。
【発明の詳細な説明】
【技術分野】
【０００１】
本発明は、貯水した貯水容器の水に一部を浸漬した加湿フィルターに通風して加湿する気化式の加湿装置に関するものである。
【背景技術】
【０００２】
従来、この種の加湿装置において、室内の空気を本体に広く形成した吸気口から吸い込み、本体内に配設した加湿フィルターに広い面から通過させて、通気特性を向上させるとともに、加湿フィルターの気化効率を向上させたものが知られている（例えば、特許文献１参照）。
【０００３】
以下、従来のこの種の加湿装置として、特許文献１に記載の加湿器について説明する。
【０００４】
上面に吹出開口が開設された角柱状の筐体を有する加湿器の内部に、貯水した水受け水槽と、水受け水槽の水にその下端部が浸されるように配置された平面視略四角形状の自動吸上式の加湿フィルターと、水受け水槽に水を供給する給水タンクとを配設している。
【０００５】
そして、本体には、側面に空気取入口を開設し、空気取入口から吹出開口につながる風路に吹出用送風手段を設け、空気取入口から本体内に導入された室内空気が加湿フィルターの外表面から内側の空間に導かれた後、加湿空気が吹出用送風手段を介して室内に吹き出される。
【先行技術文献】
【特許文献】
【０００６】
【特許文献１】特開２００２−８９８９５号公報
【発明の概要】
【発明が解決しようとする課題】
【０００７】
このような特許文献１に記載の加湿器では、空気取入口は、本体の後面に開設され、一方の吸気口から加湿フィルターに室内空気が送風されるが、筒形状の加湿フィルターの全面には均等に通風されにくく、一定の箇所に偏って通気させることとなり、加湿装置の性能上好ましくなく、また長期的には通風の偏る面での性能低下が早まり、結果として加湿フィルターのお手入れ時期が早まる場合が増加するものである。
【０００８】
そこで、本発明は、上記従来の課題を解決して、加湿フィルターの全面により均等に通風させることで、加湿フィルターの偏った劣化を防ぐ加湿装置を提供することを目的とする。
【課題を解決するための手段】
【０００９】
そして、この目的を達成するために、本発明の加湿装置は、吸気口と排気口とを有する略箱形状の本体ケースと、この本体ケース内に設けた送風手段と加湿手段とから構成し、前記吸気口は、前記本体ケースの側面に設け、前記加湿手段は、加湿水を貯める上面が開口したトレイと、このトレイに一定量の加湿水を供給する給水タンクと、前記トレイに供給された加湿水に下端部が浸漬した加湿フィルターとからなり、前記送風手段によって、前記吸気口から吸い込まれた空気は、前記加湿フィルターと、前記送風手段とを順次介して前記排気口へ送風され、前記加湿フィルターの風下側であると共に、少なくとも吸気口に対向する位置に第１の風向板を設けたものであり、これにより所期の目的を達成するものである。
【発明の効果】
【００１０】
本発明によれば、吸気口と排気口とを有する略箱形状の本体ケースと、この本体ケース内に設けた送風手段と加湿手段とから構成し、前記吸気口は、前記本体ケースの側面に設け、前記加湿手段は、加湿水を貯める上面が開口したトレイと、このトレイに一定量の加湿水を供給する給水タンクと、前記トレイに供給された加湿水に下端部が浸漬した加湿フィルターとからなり、前記送風手段によって、前記吸気口から吸い込まれた空気は、前記加湿フィルターと、前記送風手段とを順次介して前記排気口へ送風され、前記加湿フィルターの風下側であると共に、少なくとも吸気口に対向する位置に第１の風向板を設けたものである。
【００１１】
通常、吸気口から吸い込まれた空気は、吸気口に対向する加湿フィルター部分を通過し易いが、第１の風向板を加湿フィルターの風下側であると共に、吸気口に対向する位置に設けたので、送風手段によって、第１の風向板が無く、吸気口に対向していない部分からも吸い込まれるものである。
【００１２】
これにより、吸気口から吸い込まれた空気は、吸気口に対向する加湿フィルター部分だけでなく、吸気口に対向していない加湿フィルター部分にも通過し易くなる。すなわち、加湿フィルターのより広い範囲を通過するので、加湿効率が向上するものである。結果として、加湿フィルターの全面により均等に通風させることができるので、加湿フィルターの偏った劣化を防ぐことでお手入れ回数を低減することができるという効果を得ることができる。
【図面の簡単な説明】
【００１３】
【図１】本発明の実施の形態１の加湿装置を示す前方からの斜視図
【図２】同加湿装置の後方からの斜視図
【図３】同加湿装置の縦断面図
【図４】同加湿装置の本体ケース内を示す後方からの斜視図
【図５】同加湿装置の本体ケース内を示す前方からの斜視図
【図６】同本体ケース内の要部を示す前方からの斜視図
【図７】加湿フィルターフレームの要部を示す前方からの斜視図
【発明を実施するための形態】
【００１４】
本発明の請求項１記載の加湿装置は、吸気口と排気口とを有する略箱形状の本体ケースと、この本体ケース内に設けた送風手段と加湿手段とから構成し、前記吸気口は、前記本体ケースの側面に設け、前記加湿手段は、加湿水を貯める上面が開口したトレイと、このトレイに一定量の加湿水を供給する給水タンクと、前記トレイに供給された加湿水に下端部が浸漬した加湿フィルターとからなり、前記送風手段によって、前記吸気口から吸い込まれた空気は、前記加湿フィルターと、前記送風手段とを順次介して前記排気口へ送風され、前記加湿フィルターの風下側であると共に、少なくとも吸気口に対向する位置に第１の風向板を設けた構成としたものであり、通常、吸気口から吸い込まれた空気は、吸気口に対向する加湿フィルター部分を通過し易いが、第１の風向板を加湿フィルターの風下側であると共に、吸気口に対向する位置に設けたので、送風手段によって、第１の風向板が無い部分から吸い込まれるものである。
【００１５】
これにより、吸気口から吸い込まれた空気は、吸気口に対向する加湿フィルター部分だけでなく、吸気口に対向していない加湿フィルター部分にも通過し易くなる。すなわち、加湿フィルターのより広い範囲を通過するので、加湿効率が向上するものである。結果として、加湿フィルターの全面により均等に通風させることができるので、加湿フィルターの偏った劣化を防ぐことでお手入れ回数を低減することができるという効果を得ることができる。
【００１６】
また、請求項２記載の加湿装置は、請求項１に記載の加湿装置において、前記加湿フィルターは筒形状であり、前記加湿フィルターの下端開口縁が加湿水に浸漬した前記吸気口から吸い込まれた空気は、前記加湿フィルターの側周から内方へ入り、前記送風手段を順次介して前記排気口へ送風され、前記加湿フィルターの内方であると共に、前記吸気口に対向する位置に第１の風向板を設けた構成としたものであり、通常、吸気口から吸い込まれた空気は、吸気口に対向する加湿フィルター部分を通過し易いが、第１の風向板を加湿フィルターの風下側であると共に吸気口に対向する位置に設けたので、送風手段によって、第１の風向板が無い部分からも吸い込まれるものである。
【００１７】
これにより、吸気口から吸い込まれた空気は、吸気口に対向する加湿フィルター部分だけでなく、吸気口に対向していない加湿フィルター部分にも通過し易くなる。すなわち、加湿フィルターのより広い範囲を通過するので、加湿効率が向上するものである。  結果として、加湿フィルターの全面により均等に通風させることができるので、加湿フィルターの偏った劣化を防ぐことでお手入れ回数を低減することができるという効果を得ることができる。
【００１８】
また、請求項３記載の加湿装置は、請求項２に記載の加湿装置において、前記吸気口とは異なる第２の吸気口を設け、前記の前記加湿フィルターの内方であると共に、前記第２の吸気口に対向する位置に第２の風向板を設けた構成としたものであり、通常、吸気口から吸い込まれた空気は、吸気口に対向する加湿フィルター部分を通過し易いが、第１、第２のそれぞれの風向板を加湿フィルターの風下側であると共に、第１、第２それぞれの吸気口に対向する位置に設けたので、送風手段によって、第１、第２の風向板が無い部分からも吸い込まれるものである。
【００１９】
これにより、吸気口から吸い込まれた空気は、吸気口に対向する加湿フィルター部分だけでなく、吸気口に対向していない加湿フィルター部分にも通過し易くなる。すなわち、加湿フィルターのより広い範囲を通過するので、加湿効率が向上するものである。  結果として、加湿フィルターの全面により均等に通風させることができるので、加湿フィルターの偏った劣化を防ぐことでお手入れ回数を低減することができるという効果を得ることができる。
【００２０】
また、請求項４記載の加湿装置は、請求項１から３のいずれかに記載の加湿装置において、前記第１、または第２の風向板の下端は、トレイの壁面上端より下側に位置する構成としたものである。これにより、吸気口から吸い込まれた空気は、加湿フィルターを通過する際、吸気口に対して露出している加湿フィルター上部だけでなく、本来はトレイの壁面に隠れている加湿フィルター下部を通過することとなる。
【００２１】
すなわち、加湿フィルターの高さ方向においてもより広い範囲を通過するので、加湿効率が向上するものである。  結果として、加湿フィルターの全面により均等に通風させることができるので、加湿フィルターの偏った劣化を防ぐことでお手入れ回数を低減することができるという効果を得ることができる。
【００２２】
また、請求項５記載の加湿装置は、請求項２から４のいずれかに記載の加湿装置において、前記加湿フィルターは、前記吸気口から見ると左右対称形状であり、前記第１または第２の風向板の水平方向における両端部は、中央部より短い形状としたものである。これにより、吸気口から吸い込まれた空気は、前記第１または第２の風向板付近を通過する際、両端部における抵抗が中央部よりも小さいため、両端部へと通風し易くなる。
【００２３】
すなわち、前記加湿フィルターの側面側に通風させ易くすることができるため、結果として加湿フィルター全面にさらに均等に通風させることができるので、加湿効率がさらに向上し、また加湿フィルターの偏った劣化を防ぐことでお手入れ回数を低減することができるという効果を得ることができる。
【００２４】
以下、本発明の実施の形態について、図１〜図５を参照しながら説明する。
【００２５】
（実施の形態１）
本発明の実施の形態１の加湿装置は、図１〜図４に示すように、平面視、両側部が側方に凸状をなす長円形状である本体ケース１の内部を、中央部に中央連通口２を有した仕切部３によって上方空間４および下方空間５と、本体ケース１の側部寄りに縦方向に配設された内側板６によって上方空間４、下方空間５の側方に形成される給水タンク収納空間７とに仕切り、給水タンク収納空間７は下部側で下方空間５と連通している。すなわち、内側板６は本体ケース１の天面から仕切部３の間に設けられている。
【００２６】
そして、上方空間４には、送風手段である送風手段８が、そのファン吸気口８ａを仕切部３に形成された下方空間５への中央連通口２に導風筒９によって連通接続し、本体ケース１の天面に形成された吹出口１０に向けて送風する方向に設けられている。
【００２７】
また、下方空間５の下部から給水タンク収納空間７の下部にかけて、上方を開口し一定水位の水を貯水する貯水容器としてのトレイ１１を配設している。
【００２８】
下方空間５に位置するトレイ１１の開口部には、上下方向に開口した枠状の加湿フィルター部１２が、その下部を水に浸漬し上端部を仕切部３の中央連通口２の周囲に当接して、立設されている。
【００２９】
一方、給水タンク収納空間７は、本体ケース１の天面の側部に形成された天面開口１ａから下方に形成されており、トレイ１１に給水する給水タンク２２が、この天面開口１ａから挿入され、上述のように下方空間５の下部に配設されたトレイ１１の開口部に着脱自在に装着されている。
【００３０】
上記のトレイ１１、加湿フィルター部１２および給水タンク２２によって加湿手段２３を構成している。
【００３１】
そして、本体ケース１およびその内部の構成について説明を加えると、本体ケース１の背面に、上下方向に２分割された上部吸気口１５と下部吸気口１６とからなる吸気口１７を両側端部近くまで形成している。
【００３２】
下部吸気口１６は、下方空間５に臨んで開口し、上部吸気口１５は、上方空間４における導風筒９の外方の空間に臨んで開口して、その導風筒９の外方の空間を吸込風路１８とし、図５に示すように、仕切部３の前端部に形成した下方空間５への前方連通口１９から加湿フィルター１３の前方側の下方空間５に連通している。
【００３３】
さらに、上部吸気口１５は、仕切部３の給水タンク収納空間７とは反対側の側端部に形成された側方連通口２０から、加湿フィルター部１２の一側方側の下方空間５に連通している。
【００３４】
一方、上部吸気口１５および下部吸気口１６の給水タンク収納空間７側の側部は、給水タンク収納空間７に臨んで開口し、給水タンク収納空間７を介して加湿フィルター部１２のもう一方側の下方空間５に連通している。
【００３５】
また、導風筒９は、円弧状の外周面を備えた筒状で、さらに、下方に向かうにしたがって広がる形状に形成され、上方空間４における送風手段８の下方の空間の左右方向中央部に位置している。
【００３６】
また、加湿フィルター部１２は、枠状の加湿フィルターフレーム１４と、この加湿フィルターフレーム１４内に設けられた加湿フィルター１３とから構成している。
【００３７】
加湿フィルターフレーム１４は、底面に、環状の平板で形成した環状底板１４ａと、この環状底板１４ａの外周縁から上方へ伸びた複数の外周柱部１４ｂと、環状底板１４ａの内周縁から上方へ伸びた複数の内周柱部１４ｃと、外周柱部１４ｂの上端に着脱自在に環状に形成した環状天板１４ｄとから形成している。
【００３８】
外周柱部１４ｂは、本体ケース１における前面側に位置する２本の前面側外周柱部１４ｂＡと、本体ケース１における背面側に位置する２本の背面側外周柱部１４ｂＢとからなる。内周柱部１４ｃは、本体ケース１における前面側に位置する２本の前面側内周柱部１４ｃＡと、本体ケース１における背面側に位置する２本の背面側内周柱部１４ｃＢとからなる。
【００３９】
環状底板１４ａ、外周柱部１４ｂ、および内周柱部１４ｃの材質は樹脂で、一体に形成されている。これら、環状底板１４ａ、外周柱部１４ｂ、および内周柱部１４ｃとの間に、加湿フィルター１３を挿入し、外周柱部１４ｂの上端に環状天板１４ｄを装着すると、加湿フィルター部１２となるものである。
【００４０】
加湿フィルターフレーム１４は、環状天板１４ｄが、中央連通口２を囲むように、仕切部３に当接するとともに、後方吸込面１２ａ、一方側方吸込面１２ｂ、他方側方吸込面１２ｃ、前方吸込面１２ｄ  の空気吸込面を備えている。
【００４１】
後方吸込面１２ａは、２本の背面側外周柱部１４ｂＢとの間の通風路であり、下部吸気口１６に対向している。
【００４２】
一方側方吸込面１２ｂは、一方側の背面側外周柱部１４ｂＢと、一方側の前面側外周柱部１４ｂＡとの間の通風路であり、側方連通口２０から流入する室内空気の流入方向に対向している。
【００４３】
他方側方吸込面１２ｃは、他方側の背面側外周柱部１４ｂＢと、他方側の前面側外周柱部１４ｂＡとの間の通風路であり、給水タンク収納空間７に対向している。
【００４４】
前方吸込面１２ｄは、２本の前面側外周柱部１４ｂＡとの間の通風路であり、前方連通口１９から流入する室内空気の流入方向に対向する。
【００４５】
ただし、これら一方側方吸込面１２ｂ、他方側方吸込面１２ｃからの通風は、前方吸込面１２ｄ  、後方吸込面１２ａに対し断面積が小さいため、通過風量も小さい。
【００４６】
そこで、前方吸込面１２ｄ  、後方吸込面１２ａからの風を、一方側方吸込面１２ｂ、他方側方吸込面１２ｃへも取り入れやすくするため、加湿フィルターフレーム１４の後方吸込面１２ａに対向し、加湿フィルター１３の風下側の位置に、第１の風向板１４ｅを備えている。この第１の風向板１４ｅは、横長四角平板形状の垂直面で、２本の背面側外周柱部１４ｂＢに固定されている。
【００４７】
通常、吸気口１７から吸い込まれた空気は、吸気口１７に対向する加湿フィルター部分を通過し易いが、第１の風向板１４ｅを加湿フィルター１３の風下側であると共に吸気口１７に対向する位置に設けたので、送風手段によって、第１の風向板１４ｅが無い部分からも吸い込まれるものである。
【００４８】
これにより、吸気口１７から吸い込まれた空気は、吸気口１７に対向する加湿フィルター部分だけでなく、吸気口１７に対向していない加湿フィルター部分にも通過し易くなる。すなわち、加湿フィルター１３のより広い範囲を通過するので、加湿効率が向上するものである。結果として、加湿フィルター１３の全面により均等に通風させることができるので、加湿フィルター１３の偏った劣化を防ぐことでお手入れ回数を低減することができるという効果を得ることができる。
【００４９】
また、加湿フィルターフレーム１４の前方吸込面１２ｄに対向し、加湿フィルター１３の風下側の位置に、第２の風向板１４ｆを備えている。この第２の風向板１４ｆは、横長四角平板形状の垂直面で、２本の前面側外周柱部１４ｂＡに固定されている。
【００５０】
通常、吸気口１７から吸い込まれた空気は、吸気口１７に対向する加湿フィルター部分を通過し易いが、第２の風向板１４ｆを加湿フィルター１３の風下側であると共に、前方連通口１９から流入する室内空気の流入方向に対向する位置に設けたので、送風手段８によって、第２の風向板１４ｆが無い部分からも吸い込まれるものである。
【００５１】
これにより、吸気口１７から吸い込まれた空気は、前方連通口１９から流入する室内空気の流入方向に対向する加湿フィルター部分だけでなく、前方連通口１９から流入する室内空気の流入方向に対向していない加湿フィルター部分にも通過し易くなる。すなわち、加湿フィルター１３のより広い範囲を通過するので、加湿効率が向上するものである。結果として、加湿フィルター１３の全面により均等に通風させることができるので、加湿フィルター１３の偏った劣化を防ぐことでお手入れ回数を低減することができるという効果を得ることができる。
【００５２】
第１の風向板１４ｅについて説明を加えると、加湿フィルター１３の風下側の、後方吸込面１２ａに対向する位置にある薄い略四角形板状に伸びた形状であり、下端が、トレイ１１の壁面の上端よりも下になるように構成されている。
【００５３】
第２の風向板１４ｆについて説明を加えると、加湿フィルター１３の風下側の、前方吸込面１２ｄに対向する位置にある薄い略四角形板状に伸びた形状であり、下端が、トレイ１１の壁面の上端よりも下になるように構成されている。
【００５４】
これにより、吸気口１７から吸い込まれた空気は、加湿フィルター１３を通過する際、吸気口１７に対して露出している加湿フィルター１３の上部だけでなく、本来はトレイ１１の壁面に隠れている加湿フィルター１３の下部を通過することとなる。
【００５５】
すなわち、加湿フィルター１３の高さ方向においてもより広い範囲を通過するので、加湿効率が向上するものである。結果として、加湿フィルター１３の全面により均等に通風させることができるので、加湿フィルター１３の偏った劣化を防ぐことでお手入れ回数を低減することができるという効果を得ることができる。
【００５６】
次に、上記構成の加湿装置の運転について説明する。
【００５７】
電源を入れて運転すると、室内空気が上部吸気口１５および下部吸気口１６から吸い込まれ、下部吸気口１６から吸い込まれた室内空気は加湿フィルター１３の後方側の下方空間５に吸い込まれ、上部吸気口１５から吸い込まれた室内空気は、上方空間４における導風筒９の外方の吸込風路１８を仕切部３の前方連通口１９と側方連通口２０との両方向に分かれて流れ、前方連通口１９から加湿フィルター１３の前方側の下方空間５に、側方連通口２０から加湿フィルター１３の一側方の下方空間５に、それぞれ流入する。
【００５８】
また、室内空気は上部吸気口１５と下部吸気口１６の側部から給水タンク収納空間７を経由して加湿フィルター１３のもう一方の側方の下方空間５にも流入する。
【００５９】
そして、加湿フィルター１３の上記４方向の下方空間５に流入した室内空気は、枠状の加湿フィルター１３の内側空間２１に吸い込まれていく。このとき、後方吸込面１２ａと前方吸込面１２ｄに偏って吸込まれた風が、後方吸込面１２ａに設けられた第１の風向板１４ｅの抵抗と、前方吸込面１２ｄに設けられた第２の風向板１４ｆの抵抗によって、
左右それぞれの一方側方吸込面１２ｂ、他方側方吸込面１２ｃの方向へと流れやすくなることで、また本来、トレイ１１の壁面で隠れている、加湿フィルター１３の下部の吸込面にも風が回り込みやすくなることで、結果として加湿フィルター１３の吸込面全周にわたってほぼ均等に送風手段８の吸気が行われるため、加湿フィルター１３における通気特性が向上する。
【００６０】
そして、加湿フィルター１３の吸込面を通過して内側空間２１に吸い込まれ加湿された空気は、送風手段８によって吹出口１０から室内に吹き出される。
【００６１】
このように本実施の形態１の加湿装置では、上記のように加湿フィルター１３には、その前後左右の４方向から、均等に流入した空気が吸い込まれるので、通気特性が良好なものとなって気化効率が向上する。また、加湿フィルター１３のより広い範囲を均等に使って加湿することになるので、加湿フィルター１３の偏った劣化を防ぐことができる。
【産業上の利用可能性】
【００６２】
本発明によれば、吸気口と排気口とを有する略箱形状の本体ケースと、この本体ケース内に設けた送風手段と加湿手段とから構成し、前記吸気口は、前記本体ケースの側面に設け、前記加湿手段は、加湿水を貯める上面が開口したトレイと、このトレイに一定量の加湿水を供給する給水タンクと、前記トレイに供給された加湿水に下端部が浸漬した加湿フィルターとからなり、前記送風手段によって、前記吸気口から吸い込まれた空気は、前記加湿フィルターと、前記送風手段とを順次介して前記排気口へ送風され、前記加湿フィルターの風下側であると共に、少なくとも吸気口に対向する位置に第１の風向板を設けたものである。
【００６３】
通常、吸気口から吸い込まれた空気は、吸気口に対向する加湿フィルター部分を通過し易いが、第１の風向板を加湿フィルターの風下側であると共に、吸気口に対向する位置に設けたので、送風手段によって、第１の風向板が無く、吸気口に対向していない部分からも吸い込まれるものである。
【００６４】
これにより、吸気口から吸い込まれた空気は、吸気口に対向する加湿フィルター部分だけでなく、吸気口に対向していない加湿フィルター部分にも通過し易くなる。すなわち、加湿フィルターのより広い範囲を通過するので、加湿効率が向上するものである。結果として、加湿フィルターの全面により均等に通風させることができるので、加湿フィルターの偏った劣化を防ぐことでお手入れ回数を低減することができるという効果を得ることができる。
【符号の説明】
【００６５】
１      本体ケース
１ａ    天面開口
２      中央連通口
３      仕切部
４      上方空間
５      下方空間
６      内側板
７      給水タンク収納空間
８      送風手段
８ａ    ファン吸気口
９      導風筒
１０      吹出口
１１      トレイ
１２      加湿フィルター部
１２ａ    後方吸込面
１２ｂ    一方側方吸込面
１２ｃ    他方側方吸込面
１２ｄ    前方吸込面
１３      加湿フィルター
１４      加湿フィルターフレーム
１４ａ    環状底板
１４ｂ    外周柱部
１４ｃ    内周柱部
１４ｄ    環状天板
１４ｅ    第１の風向板
１４ｆ    第２の風向板
１４ｂＡ  前面側外周柱部
１４ｂＢ  背面側外周柱部
１４ｃＡ  前面側内周柱部
１４ｃＢ  背面側内周柱部
１５      上部吸気口
１６      下部吸気口
１７      吸気口
１８      吸込風路
１９      前方連通口
２０      側方連通口
２１      内側空間
２２      給水タンク
２３      加湿手段
【図１】
2013204954.tif 000003
【図２】
2013204954.tif 000004
【図３】
2013204954.tif 000005
【図４】
2013204954.tif 000006
【図５】
2013204954.tif 000007
【図６】
2013204954.tif 000008
【図７】
2013204954.tif 000009